(57)【要約】      （修正有）【課題】廃棄物の焼却の際に発生する熱を利用して湯沸しを可能にした省エネ温水器を提供する。【解決手段】省エネ温水器１が、小型焼却炉２に着脱可能に取り付けられる取り付け手段１０を有し、内部に温水が貯留される縦長型の温水タンク本体９と、該温水タンク本体９の上部の一側側面に支持部材１１を介して設けられ内部に温水タンク本体９内の温水量を調節する調節弁１２を有するサブタンク１３と、該サブタンク１３の上部の一側側面に一端が連通され他端が水道側に連通される給水パイプ１４と、該サブタンク１３の底部に一端が連通され他端が温水タンク本体９の底部に連通される導水パイプ１５と、温水タンク本体内部と温水パイプ１７を介して連通されると共に水供給源と給水パイプを介して連通される温水調節装置１６を介して外部へ温水を供給する給湯パイプ３６とを有するユニットが一体の構成となっている。【選択図】図１
0003119450.tif 000002
【実用新案登録請求の範囲】
【請求項１】
省エネ温水器が、小型焼却炉に着脱可能に取り付けられる取り付け手段有し、内部に温水が貯留される縦長型の温水タンク本体と、該温水タンク本体の上部の一側側面に支持部材を介して設けられると共にその内部に温水タンク本体内の温水量を調節する調節弁を有するサブタンクと、該サブタンクの上部の一側側面に一端が連通され他端が水供給源に連通される給水パイプと、該サブタンクの底部に一端が連通され他端が温水タンク本体の底部に連通される導水パイプと、温水タンク本体内部と温水パイプを介して連通されると共に水供給源と給水パイプを介して連通される温水調節装置を介して外部へ温水を供給する給湯パイプとを有するユニットが一体の構成としたことを特徴とする省エネ温水器。
【考案の詳細な説明】
【技術分野】
【０００１】
本考案は、小型焼却炉による廃棄物の焼却の際に発生する熱を利用することにより、湯沸しを可能にした省エネ温水器に関するものである。
【背景技術】
【０００２】
従来、小規模の事務所、工務店等では、一般に、紙屑や木屑等の廃棄物の処理は、小型焼却炉を用いて焼却することにより行われていた。
また、従業員の作業終了後における洗顔や手洗い又は入浴等には、ガス給湯器を用いて湯沸しされる温水によって行われていた。
従来から、この種の給湯器としては以下に示すようなものが知られている（例えば特許文献１参照）。
すなわち、このような給湯器はコントローラで全体の作動が制御され、燃焼室内に設けられたバーナにより加熱される給湯用の熱交換器で供給される湯温を調節するようになっている。
従って、この種の給湯器を使用する場合には、燃焼炉の燃焼による廃熱の利用は全く考えられなかった。
【０００３】
しかしながら、紙屑や木屑等の廃棄物の処理に小型焼却炉を用いて行い、湯沸かしはガス給湯器を用いて行なうことによりイニシャルコストが嵩むと共に、別途ガス等の燃料を必要とするためコスト高になるという問題があった。
【０００４】
そこで、上記のような問題の解決と、併せて従来から重要視されている限られた資源の有効利用を考えると、該小型焼却炉を、単に紙屑や木屑等の廃棄物を焼却して灰化するだけでなく、焼却の際に発生する熱を再利用することが期待できるものである。
【特許文献１】特開２００４−３３２９７６
【考案の開示】
【考案が解決しようとする課題】
【０００５】
本考案は、このような事情に鑑みて考案されたもので、小型焼却炉による廃棄物の焼却の際に発生する熱を利用することにより、湯沸しを可能にした省エネ温水器を提供することを目的とする。
【課題を解決するための手段】
【０００６】
上記目的を達成するために、本考案に係る省エネ温水器は、小型焼却炉に着脱可能に取り付けられる取り付け手段を有し、内部に温水が貯留される縦長型の温水タンク本体と、該温水タンク本体の上部の一側側面に支持部材を介して設けられると共にその内部に温水タンク本体内の温水量を調節する調節弁を有するサブタンクと、該サブタンクの上部の一側側面に一端が連通され他端が水供給源に連通される給水パイプと、該サブタンクの底部に一端が連通され他端が温水タンク本体の底部に連通される導水パイプと、温水タンク本体内部と温水パイプを介して連通されると共に水供給源と給水パイプを介して連通される温水調節装置を介して外部へ温水を供給する給湯パイプとを有するユニットが一体の構成とした。
【考案の効果】
【０００７】
本考案の省エネ温水器によれば、該省エネ温水器を着脱可能に小型焼却炉に取り付けることにより、小型焼却炉と一体化される。従って、従来の給湯器が不要となり、これに伴ってガスが不要となる。
これにより、イニシャルコスト及びランニングコストの低減を図ることができ大幅のコストダウン効果が図られる。
また、本考案の省エネ温水器によれば、既に設置されている小型焼却炉にも簡単容易に取り付けることができ便利である。
【考案を実施するための最良の形態】
【０００８】
以下、本考案の実施例について図面を参照しながら説明する。
【実施例】
【０００９】
この実施例の省エネ温水器１は、図１に示すように、小型焼却炉２に取り付け手段により着脱可能に取り付けられように構成されている。
該小型焼却炉２は、図1に示すように、廃棄物等の燃焼物を収容して燃焼させる一次燃焼室３を形成する炉体４と、該炉体４の上部に連通して二次燃焼室５を形成すると共に上部に排気口６を有する煙突７を兼ねた二次燃焼筒８とから構成されている。
【００１０】
省エネ温水器１は、図1及び図2（a）−（d）に示すように、内部に温水が貯留される温水タンク本体９と該温水タンク本体９を小型焼却炉２に着脱可能に取り付けられる取り付け手段と、
該温水タンク本体９の上部の一側側面に支持部材１１を介して設けられると共にその内部に温水タンク本体９内への給水量を調節する調節弁１２を有するサブタンク１３と
該サブタンク１３の上部前面に一端が連通され他端が水供給源としての水道側に連通される給水パイプ１４と、該サブタンク１３の底部に一端が連通され他端が該温水タンク本体９の底部に連通される導水パイプ１５と、該温水タンク本体９と温水パイプ１７を介して連通されると共に水供給源と給水パイプ１５を介して連通される温水調節装置１６と、この温水調節装置１６を介して外部の手洗い場や浴場へ温湯を供給する給湯パイプ３６と、該温水タンク本体９の内部から外部へ連通され内部の水を外部へ排出させられる排出パイプ１８とにより構成されている。
【００１１】
該温水タンク本体９上部面には該温水タンク本体９の内部に連通されるエアブリ−ザ１９が設けられている。
また、該温水タンク本体９には、上部の左右と、中央部の前後の4箇所に吊りフック２０が設けられている。
また、該温水タンク本体９には取り付け手段の一つとなる小型焼却炉２側の煙突７の外周部に係合される凹状半円部２１が形成されている。
また、該温水タンク本体９には、下部面に前側の左右と、後側の中央の3箇所に小型焼却炉２の上面に支持される脚２２が設けられている。
該省エネ温水器１の小型焼却炉２への取り付け手段は、小型焼却炉２側の煙突７と、省エネ温水器１の温水タンク本体９の背面に形成される該小型焼却炉２側の煙突の外周部に係合される凹状半円部２１と、該凹状半円部２１を小型焼却２側の煙突７の外周部に係合させた状態で両者を固定する上下一対の固定バンド２３、２３とにより構成されている。
本考案において、該温水タンク本体９及びサブタンク１３は、ステンレス鋼を用いて形成することにより、防錆性及び耐熱性の向上が図られている。
【００１２】
該サブタンク１３内に設けられる調節弁１２は、図３に示すように、調節弁ケース２４と、先端に球型形状浮動体２５を有するレバー部材２６の基体部２７を支持軸２８を介して調節弁ケース２４に回動自在に支持された水量検知部材２９と、この水量検知部材２９の回動移動に対応して調節弁ケース２４内の給水入り口２４Ａを開閉する弁体３０とにより構成されている・
そして、該温水タンク本体９内の水量が規定量に達すると、水量検知部材２９の球型形状浮動体２６が水圧によって押し上げられて図3に示す止水レベル位置（Ａ）になると弁体３０の作動によって給水入り口２４Ａが閉鎖されて給水が停止される。
また、該温水タンク本体９内の水量が減少してくると、水量検知部材２９の球型形状浮動体２５が自動的に徐々に下降して図3に示す位置（B）になると弁体３０の作動によって給水入り口24Ａが開口されて自動的に給水が開始される。
【００１３】
該温水調節装置１６は、周知のサーモスタットバス水栓が用いられ、図４に示すように、該給水パイプ１４に連通されて水が流入される水流入部３１と、該温水パイプ１７に連通されて温水が流入される温水流入部３２と、該水流入部３１と該温水流入部３２とを連通させる合流部３３と、該合流部３３における水と温水との混合比率を調節して所定の湯温に設定する湯温調節部３４と給湯量を調節する給湯量調節部３５と、該合流部３３に連通され、適温の温湯を適宜の量で給湯する給湯パイプ３６とにより一体に構成されている。
【００１４】
本考案における省エネ温水器１の作用について説明する。
まず、省エネ温水器１を小型焼却炉２に取り付ける手順について説明する。
トラッククレーン等を用いて温水タンク本体９を小型焼却炉２の炉体４上に吊り上げて該温水タンク本体９の背面に形成される凹状半円部２１を小型焼却炉２側の煙突７の外周部に係合させ、この状態で両者を上下一対の固定バンド２３、２３で固定することにより省エネ温水器１の取り付けが完了する。
【００１５】
省エネ温水器１の温水調節装置１６をホース等により水供給源としての水道の蛇口（図示せず）に連通し、蛇口を開けると水道水が該温水調節装置１６から給水パイプ１４を介してサブタンク１３内に流入され、該サブタンク１３から導水パイプ１５を介して温水タンク本体９の下部側から該温水タンク本体９内に流入され、該温水タンク本体９内の水量が規定量に達すると、該サブタンク１３内に設けられる調節弁１２が作動し、弁体３０により水流入口２４Ａが閉鎖されることにより給水を停止する。
そして、該温水タンク本体９内に貯留された水は、該小型焼却炉２内における紙屑や木屑等の廃棄物を焼却する際に発生する熱により煙突７（二次燃焼筒８）を介して加熱され温水（約80℃）で貯湯される。
この湯を手洗い場や浴場に利用する場合には、該給水パイプ１４と温水パイプ１７に夫々連通された湯水調節装置１６の所定の温度に設定する温度調節部３４を手回し操作して湯温を所定の温度（約50℃前後）に設定し、湯量を調節する湯量調節部３５を手回し操作して湯量を調節することにより図４に示すように水と湯水とが矢印に沿って流れて合流され、適温の温湯を適宜の量で給湯パイプ３６から供給される。
これにより、該給湯パイプ３６から適宜ホース等により手洗い場や浴場に接続することにより温湯の供給が可能となる。
【００１６】
このように本考案において達成される効果は下記のようになる。
すなわち、本考案に係る省エネ温水器は、小型焼却炉に着脱可能に取り付けられ、小型焼却炉と温水器とを一体化したことにより、従来のように温水器を別に設置する必要がなくなり、これに伴ってガスも不要となる。
これにより、イニシャルコスト及びランニングコストを大幅に低減にすることができコストダウン効果を図ることができる。
また、本考案によれば、小型焼却炉における廃棄物の燃焼により発生する廃熱の再利用が可能となる。これにより、少なくとも資源の有効利用が行われたといえる。
更に、本考案に係る省エネ温水器は、既に設置されている小型焼却炉にも簡単容易に取り付けることができ、小型焼却炉の有効利用が可能となった。
【図面の簡単な説明】
【００１７】
【図１】本考案に係る省エネ温水器を小型焼却炉に装着した全体構成を説明する正面図である。
【図２】本考案に係る省エネ温水器を小型焼却炉に装着した全体構成の説明図であり、（a）はその背面図で（b）はその左側面図（c）はその右側面図（d）は図（a）の矢視Ａ−Ａによる平面図である。
【図３】調節弁の説明図である。
【図４】温水調節装置の説明図である。
【符号の説明】
【００１８】
１  省エネ温水器
２  小型焼却炉
３  一次燃焼室
４  炉体
５  二次燃焼室
６  排気口
７  煙突
８  二次燃焼筒
９  温水タンク本体
１１  支持部材
１２  調節弁
１３  サブタンク
１４  給水パルプ
１５  導水パルプ
１６  温水調節装置
１７  温水パイプ
１８  排出パイプ
１９  エアブリ−ザ
２０  吊フック
２１  凹状半円部
２２  脚
２３  固定バンド
２４  調節弁ケ−ス
２４Ａ  給水入り口
２５  球型形状浮動体
２６  レバ−部材
２７  基体部
２８  支持軸
２９  水量検知部材
３０  弁体
３１  水流入部
３２  湯水流入部
３３  合流部
３４  湯温調節部
３５  湯量調節部
３６  給湯パイプ
【図１】
0003119450.tif 000003
【図２】
0003119450.tif 000004
【図３】
0003119450.tif 000005
【図４】
0003119450.tif 000006